(57)【特許請求の範囲】
【請求項１】
閉ループ複数入力・複数出力無線通信システムにおける基地局の受動協調の方法であって、
同期通信を提供するため、サービング基地局および隣接基地局によって使用されるサブフレームゾーンを割り当てるステップと、
割り当てられたゾーンの少なくとも１つのリソースブロック上で使用される、基地局に対するアンテナビーム組み合わせを定義するステップと、
少なくとも１つのビーム組み合わせ、および関連する前記ゾーンのリソースブロックに対して、第１の時間に、前記ゾーンの測定されたチャネル条件に関するフィードバックを報告するステップと、
同一の関連する少なくとも１つのビーム組み合わせ、および関連する前記ゾーンのリソースブロックを繰り返すことによって、第２の時間に、前記ゾーン上の基地局によるフィードバックを使用して同期通信を提供するステップと
を備え、前記アンテナビーム組み合わせは、前記サービング基地局からの少なくとも１つのビームと、前記隣接基地局からの少なくとも１つのビームとを含み、リソースブロックに対して周期的に割り当てられている、方法。
【請求項２】
前記割り当てるステップにおいて、ゾーンが基地局間のセル縁部領域のために使用される、請求項１の方法。
【請求項３】
前記報告するステップが、少なくとも１つのビーム組み合わせ、および関連する前記ゾーンのリソースブロックに関して、キャリア対干渉プラス雑音比および信号対干渉プラス雑音比のうち少なくとも１つから成るチャネル品質表示を提供することを含む、請求項１の方法。
【請求項４】
前記割り当てるステップにおいて、同一のゾーンがあらゆるセルセクタで専用とされる、請求項１の方法。
【請求項５】
前記定義するステップにおいて、異なるリソースブロックが異なるアンテナビームを利用する、請求項１の方法。
【請求項６】
少なくとも１つのビーム組み合わせ、および関連する前記ゾーンのリソースブロックが繰り返される第１の時間と第２の時間との間の期間が、前記報告するステップと前記提供するステップとの間の遅延に相当する、請求項１の方法。
【請求項７】
基地局間で、少なくとも１つのビーム組み合わせと、対応する前記ゾーンのリソースブロックとを協調させるステップをさらに備え、前記定義するステップが、変更が周期的である限り、サブフレームからサブフレームへと少なくとも１つのビーム組み合わせ、および対応する前記ゾーンのリソースブロックを変更することを含む、請求項１の方法。
【請求項８】
前記定義するステップは、基地局が、ゾーン割当と、関連する少なくとも１つのビーム組み合わせと、関連する前記ゾーンのリソースブロックとを移動局に信号伝達することを含み、前記報告するステップは、前記移動局が、少なくとも１つのビーム組み合わせ、および対応する前記ゾーンのリソースブロックに関するフィードバックを報告することを含む、請求項１の方法。
【請求項９】
前記報告するステップは、最も良好なチャネル条件を提供する、ビーム組み合わせおよび対応する前記ゾーンのリソースブロックに対応するフィードバックを報告することを含み、前記提供するステップは、最も良好なチャネル条件を提供する、ビーム組み合わせおよび対応する前記ゾーンのリソースブロックを用いて通信を提供することを含む、請求項１の方法。
【請求項１０】
基地局の受動協調を提供する閉ループ複数入力・複数出力無線通信システムであって、
同期通信を提供するためにサブフレームゾーンを割り当て、割り当てられたゾーンの少なくとも１つのリソースブロック上で使用される、基地局に対する少なくとも１つのアンテナビーム組み合わせを定義するように動作可能な基地局と、
少なくとも１つの組み合わせ、および対応する前記ゾーンのリソースブロックに対して、第１の時間に、前記ゾーンの測定されたチャネル条件に関するフィードバックを報告するように動作可能な移動局と、
を備え、
前記基地局は、同一の関連する少なくとも１つのビーム組み合わせ、および対応する前記ゾーンのリソースブロックを繰り返すことによって、第２の時間に、前記ゾーン上のフィードバックを使用して同期通信を提供し、
前記基地局は、サービング基地局及び隣接基地局を含み、
前記少なくとも１つのアンテナビーム組み合わせの各々は、前記サービング基地局からの少なくとも１つのビームと、前記隣接基地局からの少なくとも１つのビームとを含み、リソースブロックに対して周期的に割り当てられている、システム。
【発明の詳細な説明】
【技術分野】
【０００１】
本発明は、無線通信システム、特に、閉ループ複数入力・複数出力無線通信システムにおける基地局間の協調機構に関する。
【背景技術】
【０００２】
移動ブロードバンドセルラ通信システムでは、送信機と受信機間のチャネル応答に関する知識が送信機に提供されることを必要とする物理層手法がいくつかある。送信機と受信機間のチャネル応答を利用する送信技法は、閉ループ送信技法と呼ばれる。閉ループ送信の一例は、送信機での送信プリコーディングの使用である。送信プリコーディングを採用するアンテナアレイは、複数の送信アンテナアレイを備え、各アンテナに供給される信号は、ビームフォーミングなどの予め定義された最適化戦略に従い、送信された信号エネルギの特性を制御するような方法で、重み付けされる。
【０００３】
概して、このような閉ループ複数入力・複数出力（ｃｌｏｓｅｄ−ｌｏｏｐ  ｍｕｌｔｉｐｌｅ−ｉｎｐｕｔ  ｍｕｌｔｉｐｌｅ−ｏｕｔｐｕｔ）（ＣＬ−ＭＩＭＯ）無線通信システムでは、送信されたアンテナ信号は、各送信アンテナと各受信アンテナ間の空間−周波数チャネル応答に関する知識に基づき複数の送信アンテナに重みベクトルを印加することによって重み付けされる。送信機はこれらの重みベクトルを使用して、受信装置によって処理される送信信号のビームフォーミング特性を最適化しようとする。
【０００４】
加入者局（ｓｕｂｓｃｒｉｂｅｒ  ｓｔａｔｉｏｎ）（ＳＳ）または移動局（ｍｏｂｉｌｅ  ｓｔａｔｉｏｎ）（ＭＳ）が、信号強度が低く、近傍の隣接セルからの干渉のために失われるおそれのある、基地局（ｂａｓｅ  ｓｔａｔｉｏｎ）（ＢＳ）の通達範囲セルの縁部近傍に位置する場合、近隣ＢＳはこのセル縁部領域とセル内の任意のＭＳに追加の通達範囲を提供するためにサービングＢＳと同期して、このＭＳへの干渉を低減するビームフォーミングを利用することができると考えられている。具体的には、隣接セクタ信号によって干渉されるセル縁部ユーザにとってはダウンリンク（ＤＬ）協調ＣＬ−ＭＩＭＯが最も有効であり、サービングセクタからのＤＬビームフォーミングを通じて信号を増強することができると考えられる。また、干渉は、隣接セクタからのＤＬビーム無効化（ｎｕｌｌｉｎｇ）によって回避することができる。
【０００５】
このセル縁部領域に対する送信特性を制御する１つの方法は、アップリンク制御チャネルまたはアップリンクチャネル品質表示（Ｃｈａｎｎｅｌ  Ｑｕａｌｉｔｙ  Ｉｎｄｉｃａｔｏｒ）（ＣＱＩ）チャネルから得られるような、ＭＳからのアップリンクフィードバックメッセージに基づいており、ＭＳはサービングおよび隣接ＢＳアンテナとＭＳアンテナとの間の復調用のブロードキャスト専用パイロット信号からのチャネル応答を測定し、ＢＳが閉ループ送信プリコーディングを実行するのに十分な情報を含むフィードバックメッセージをＢＳの一方または両方に送信し戻す。その後、ＢＳは、同期化されるべき送信を能動的に協調させなければならない。これには余分な額の通信経費が必要となり、送信毎にＭＳから両ＢＳへのフィードバックを要するため、サービングＢＳは隣接ＢＳとの同期化およびビームフォーミングパラメータを設定し、バックホール接続で隣接ＢＳにＭＳに関するメッセージを供給しなければならない。
【発明の概要】
【発明が解決しようとする課題】
【０００６】
したがって、上述の問題を緩和するために、基地局間の受動協調を提供する技術が必要とされる。特に、提案される解決策は、定期的なバックホール接続でサポートされ、バックホールの使用を最小限とすべきである。さらに、信号対干渉プラス雑音比（Ｓｉｇｎａｌ−ｔｏ−Ｉｎｔｅｒｆｅｒｅｎｃｅ  ｐｌｕｓ  Ｎｏｉｓｅ  Ｒａｔｉｏ）（ＳＩＮＲ）が予測可能であり、ＭＳからのＳＩＮＲフィードバックが、スケジューラ効率を高めるために、実際のＳＩＮＲとビームフォーミングおよび干渉無効化とをマッチさせることができれば有益であろう。また、スケジューリングとＭＳへの送信間の待ち時間を低減することも有益であろう。
【図面の簡単な説明】
【０００７】
【図１】本発明のシステムのブロック図である。
【図２】本発明の一実施形態のブロック図である。
【図３】本発明に係る周期的サブフレーム割当のブロック図である。
【図４】本発明の方法を示すフローチャートである。
【発明を実施するための形態】
【０００８】
本発明は、添付の請求項で具体的に指摘されている。しかしながら、添付図面と合わせて以下の詳細な説明を参照することによって、本発明の他の特徴が自明となり、本発明が最適に理解されるであろう。
【０００９】
当業者であれば、商業的に実現可能な実施形態において有効または必要である一般的だが十分に理解された構成要素は、本発明の各種実施形態を見易くするために通常は図示されないことを理解するであろう。
【００１０】
本発明は、上述した問題を緩和するために基地局間の受動協調を行う手法を提供する。具体的には、本発明は定期的なバックホール接続をサポートし、バックホールの使用を最小限に抑える。本発明は、スケジューラ効率を高めるため、実際のＳＩＮＲとビームフォーミング（ｂｅａｍｆｏｒｍｉｎｇ）および干渉無効化（ｉｎｔｅｒｆｅｒｅｎｃｅ  ｎｕｌｌｉｎｇ）とをマッチさせることのできるＭＳで予測可能な信号対干渉プラス雑音比（ＳＩＮＲ）を提供する。さらに、本発明は、スケジューリングとＭＳへの送信間の待ち時間を低減させる。本発明は、送信ビームフォーミングを使用するいかなる通信システムにも適用可能であると考えられる。本文書で使用されるように、本発明はＩＥＥＥ８０２．１６ＷｉＭＡＸ通信システムに関して説明されているが、ロング・ターム・エボリューション（Ｌｏｎｇ  Ｔｅｒｍ  Ｅｖｏｌｕｔｉｏｎ）（ＬＴＥ）などのその他の通信システムでも同等に利用することができる。
【００１１】
図１は、本発明に係る通信システム１００のブロック図である。通信システムは、それぞれが、特定のセル縁部ゾーン内の１つまたはそれ以上の移動局（ＭＳ）１０１と通信する基地局（ＢＳ）１０４、１１５を有する複数のセル（ここでは２つのみ示される）を含むことができる。ＭＳ１０１への閉ループ送信がダウンリンク１０３上で実行される場合、ＢＳ１０４、１１５はソース通信ユニットと称することができ、ＭＳ１０１はターゲット通信ユニットと称することができる。本発明の一実施形態では、通信システム１００は、直交周波数分割多重方式（ＯＦＤＭ）またはその他のマルチキャリアベースのアーキテクチャを利用する。該アーキテクチャは、マルチキャリアＣＤＭＡ（ＭＣ−ＣＤＭＡ）、マルチキャリア直接シーケンスＣＤＭＡ（ＭＣ−ＤＳ−ＣＤＭＡ）、直交周波数コード分割多重方式（ＯＦＣＤＭ）などの拡散手法の使用を含むこともできる、あるいは、より単純な時間および／または周波数分割多重方式／複数アクセス方式、またはこれらの各種手法の組み合わせをベースとすることができる。また、別の実施形態では、通信システムは、ＴＤＭＡや直接シーケンスＣＤＭＡ（ＤＳ−ＣＤＭＡ）などを含むがそれらに限定されないその他のセルラ通信システムプロトコルを利用することができる。
【００１２】
サービングＢＳ１０４と隣接ＢＳ１１５は、１つまたはそれ以上の受信アンテナ１０５を有するＭＳ１０１に対して、ビーム成形されたデータストリームを通信するように動作可能な複数のアンテナ要素（２つのみ図示される）を有する送信適応性アンテナアレイ（ＴｘＡＡ）１１６を含む（すなわち、複数入力・複数出力ＭＩＭＯシステム）。入力データストリーム１１１は、変調および符号化され１０６、その後、ＭＳ１０１に同期送信されるように、ＴｘＡＡ１１６に供給される前に送信重み（ｔｒａｎｓｍｉｔ  ｗｅｉｇｈｔｓ）１０７を乗算される。入力データストリーム１１１に、少なくとも部分的なチャネル応答に基づく送信重み１０７を乗算することは、送信の空間特性を調整する一例である。各ＴｘＡＡ１１６から送信される信号はマトリクスチャネル１０８を介して伝播し、受信アンテナ１０５のうち１つまたはそれ以上によって受信される。１つまたはそれ以上の受信アンテナ１０５で受信された信号は復調および復号されて１０９、出力データシンボルストリーム１１２を生成する。隣接ＢＳ１１５へのデータストリーム１１１は、スケジューラによって、またはバックホール接続１１３上でサービングＢＳ１０４を介して供給することができることに留意すべきである。
【００１３】
本発明によると、少なくとも１つのＭＳ１０１が、チャネル１０８に基づきフィードバック測定１１０を実行し、アップリンクフィードバックチャネル１０２を介してサービングＢＳ１０４にこれらの測定を提供する。このフィードバックは、バックホール接続１１３を介してサービングＢＳ１０４から、または別のフィードバックチャネルを介して直接ＭＳ１０１から隣接ＢＳ１１５に供給することができる。フィードバックは、サウンディング波形、チャネル品質表示、アナログフィードバック（チャネル共分散係数、チャネル係数、またはプリコーディング行列係数、または共分散行列の固有ベクトルの係数）、あるいはコードブックベースのプリコーディング行列指数フィードバックを含むことができる。本発明によると、その後、ＢＳ１０４、１１５は以下詳述するように、ＭＳによってビーム成形されるダウンリンク受信を定義するために送信重み１０７を導き出す。
【００１４】
当該技術において既知な一例では、ダウンリンクチャネルは、たとえば、ＵＬサウンディングチャネルまたはＣＱＩチャネル上でフィードバックを提供するＭＳによって測定される。各基地局は、フィードバックに基づき各アンテナ上のチャネル応答を推定し、使用される送信（Ｔｘ）重みを算出する。次に、各Ｔｘ信号が、ビーム成形送信のために受信される信号対雑音比（ＳＮＲ）を最大化するように重み付けされる。ＢＳは内部でＴｘ重みをチャネル応答に適用して、ＭＳによって見られるビーム成形チャネル応答を導き出す。これによって、送信アレイは、フィードバックを提供したＭＳに「照準を当てる」ように有効に「操縦される」。変調されたサブキャリア毎に別個の重みを算出することができる。
【００１５】
図２は本発明の実施を示す。サービングＢＳ１０４と隣接ＢＳ１１５は、セル縁部で動作するＭＳ１０１を認識する。たとえば、各ビーム組み合わせがＢＳ１０４からの少なくとも１つのビームとＢＳ１１５からの少なくとも１つのビームとを含む既存のビーム組み合わせを使用して、ＢＳは、グループ１のビーム組み合わせで動作するＭＳ用リソースがある時間−周波数リソースブロックに割り当てられ、グループ２のビーム組み合わせで動作するＭＳ用リソースが別の時間−周波数リソースブロックに割り当てられることを認識することができる。ＢＳ１０４、１１５がこれらのセル縁部ＭＳに同期通信を提供するために、これらの特定の時間−周波数リソースブロックは、関連するセル縁部ＭＳにサービスを提供するＢＳ１０４、１１５の協調ＣＬ−ＭＩＭＯ専用に確保されたゾーンを形成する。同じゾーンがあらゆるセクタで専用とされる。
【００１６】
このゾーンは、特定のサブフレーム（すなわち、時間／周波数）と関連付けられ、異なるビームはこのゾーン内の異なるリソースブロック用に定義することができる。具体的には、各リソースブロック（ＲＢ）では、少なくとも１つのビームが各セクタに対して予め定義される。異なるセクタからのビームの組み合わせは、これらのセル縁部ＭＳと通信する際に使用される各リソースブロックにおいて繰り返される特定のビーム組み合わせおよびサブフレームを定義する。各組み合わせは、異なるセクタからの複数のビームを含むことができる。本文書で定義されているように、ゾーンはサブフレームの１部であり、１ゾーン内には複数のリソースブロックがある。ゾーンは複数のＢＳにわたって同期化され、これは、異なるＢＳからのセル縁部モバイルがゾーンの同一の時間−周波数リソースを共有するということを意味する。図２には、グループ１とグループ２の２つの組み合わせが示されている。各組み合わせは２つのビームを含む。しかしながら、異なるＲＢは異なるビーム組み合わせを備えることができ、複数のビームを有することができることに留意すべきである。
【００１７】
図３は、ビーム組み合わせに使用される具体的なリソースブロックＤＬサブフレームを示す。図示されるように、周期的リソースブロックにおける同一の特定のサブフレーム（すなわち、周波数／時間）が、各基地局における同一のビーム組み合わせ、ＢＣ−Ｉ、ＢＣ−２、ＢＣ−３、ＢＣ−４のために確保される。異なる組み合わせを異なるリソースブロックに割り当てることができることに留意すべきである。基地局は、組み合わせがリソースブロックに周期的に割り当てられるように、これらの組み合わせの変化を調整すべきである。Ｎは、ビーム組み合わせが繰り返すリソースブロック間の期間である。その期間は、ＭＳが低速で移動する場合にＳＩＮＲがＭＳで繰り返す期間にも相当する。Ｎは、ＭＳへの送信をスケジューリングするＭＳおよびＤＬスケジューラからのＣＩＮＲまたはＳＩＮＲのフィードバック間の遅延に応じて選択することができる。任意で、ビーム組み合わせのＲＢへの割当は、サブフレーム／フレームからサブフレーム／フレームへの順番を変更することができるが、変更のシーケンスは周期的なままである。この場合、各ＲＢへのビーム組み合わせの割当は、バックホール接続を介したＢＳ協調と共に変更することができ、これは低速な時間スケールで行われるべきである。こうした変更により、システムは、ＭＳの動的ニーズを満たす割当ゾーンのサイズおよび位置を変更することができる。
【００１８】
本発明によると、このビーム組み合わせの周期的反復は、ＣＬ−ＭＩＭＯシステムの受動協調とＭＳでの周期的ＳＩＮＲ（またはＣＩＮＲ）を提供するために行われる。具体的には、ＭＳは、サブフレームｋの第１のリソースブロックにおけるビーム組み合わせＢＣ−１を用いて送信にフィードバックを提供することができる。同一のビーム組み合わせＢＣ−１が次のサブフレーム／フレームｋ＋Ｎで同一のリソースブロックで維持されるため、次のサブフレーム／フレームｋ＋ＮのＢＣ−１のＭＳでのチャネル条件および対応するＣＩＮＲまたはＳＩＮＲは略同一であると推定することができる。したがって、組み合わせは予め周期的に定義されているため、サブフレーム／フレームｋにおけるリソースブロックの同一のフィードバックが、各ビーム組み合わせ用のスケジューラまたはＢＳによって、次のサブフレーム／フレームｋ＋ＮのリソースブロックでのＣＩＮＲまたはＳＩＮＲを正確に予測するために使用することができる。さらに、スケジューラまたはＢＳは、能動的通信なしでのＢＳ協調−ＣＬ−ＭＩＭＯシステムの受動協調を通じた所望の信号のビーム成形および干渉の無効化によって、最も良好なＣＩＮＲまたはＳＩＮＲを招くビーム組み合わせを割り当てることができる。信号と干渉の組み合わせはどちらも周期的である。本発明では、単独ユーザ（ＳＵ）および複数ユーザ（ＭＵ）ＭＩＭＯは、各組み合わせ内の複数のビームでサポートすることができる。ただし、ＳＵ−ＭＩＭＯの方が、セル縁部ユーザに対して使用される可能性が高い。
【００１９】
本発明は、ＢＳ−ＢＳバックホールシグナリングとＢＳ−ＭＳ  ＤＬ／ＵＬシグナリング間の特定のシグナリング要件を想定する。ＢＳ間のバックホールシグナリングは、セル縁部ＭＳへのゾーン割当を調整し、セクタにわたってビーム組み合わせを調整するために使用される。バックホールシグナリングは、これらの属性を変更するためにも使用される。また、バックホールシグナリングは、ＭＳに同期通信されるように隣接ＢＳへの通信を提供するため、あるいは、ＭＳから隣接ＢＳへフィードバックを提供するため、サービングＢＳによって使用することができる。ＭＳへのＢＳ  ＤＬシグナリングは、期間Ｎのビーム組み合わせを有する特定ゾーン割当内にあるＭＳ（図３を参照）を表示するために使用される。このＤＬシグナリングは、ＭＳがセル縁部モバイル用のゾーンに割り当てられていることを示す割当表示を提供する。この表示によって、ＭＳはＵＬ  ＣＱＩフィードバックを変更する必要があるかもしれない。たとえば、セル縁部ゾーン内にないＭＳは、サブフレーム／フレーム毎に１つのフィードバック表示を提供するだけでよい。しかしながら、セル縁部ゾーン内にあるＭＳは、リソースブロック（図３ではＢＣ−１〜ＢＣ−４のそれぞれ）毎に複数のフィードバック表示を提供するよう求められる可能性がある。ＢＳへのＭＳ  ＵＬシグナリングは、ゾーン内の各ＲＢに対応するフィードバックＣＱＩ（すなわち、ＳＩＮＲまたはＣＩＮＲ）へのセル縁部ＭＳを可能にする。このフィードバックは、サービングＢＳと隣接ＢＳに提供することができる。ＭＳ  ＵＬシグナリングは、経費削減のためのトップ−Ｍ組み合わせおよびそれが選択する（すなわち、最高品質を提供する）対応リソースブロック、またはゾーン内のＲＢのＣＱＩをフィードバックするその他の方法をＢＳに表示するため、ＭＳによって使用することもできる。スケジューラは、好適な組み合わせに基づきユーザをスケジューリングすることができる。これにより、サービングセクタでのＤＬビームフォーミングを通じた高度シグナリングが可能になり、他のセクタでの無効化により干渉が低減される。より重要なことに、本発明の閉ループ複数入力・複数出力における受動協調スキームは、基地局を協調させるための多額なバックホールシグナリング経費を必要としない。ＭＳでのＳＩＮＲ（またはＣＩＮＲ）は、ビームフォーミングを通じて所望の信号を増強し、ビーム無効化を通じて干渉を低減することによって向上させることができる。このスキームは異なる基地局でのスケジューラ間の能動的協調を必要としないため、データ通信のための遅延待ち時間が、協調なしでの従来の閉ループ複数入力・複数出力での待ち時間と同一である。
【００２０】
図４は、本発明に係る閉ループ複数入力・複数出力無線通信システムにおける受動協調の方法を示すフローチャートである。
第１のステップ４００は、基地局間でセル縁部領域内のユーザに同期通信を提供するため、サービング基地局と隣接基地局によって使用されるサブフレームゾーンを割り当てることを含む。
【００２１】
次のステップ４０２は、各基地局に関してサブフレームの割り当てられたゾーン内の少なくとも１つのリソースブロックに少なくとも１つのアンテナビームを定義することを含む。基地局はゾーン内の移動局に、ゾーン割当とリソースブロック割当を信号で伝達することができる。好ましくは、同一のゾーンがすべてのセルセクタで専用とされる。また、１つのビーム組み合わせは、複数の基地局からの複数のビームを含む。
【００２２】
異なるリソースブロックは異なるビーム組み合わせを利用することができることに留意すべきである。任意で、少なくとも１つのビーム組み合わせは、変更が周期的である限り、リソースブロック上でサブフレームからサブフレームへと変更することができる。
【００２３】
次のステップ４０４は、基地局間でゾーンの少なくとも１つのビーム組み合わせと少なくとも１つのリソースブロックとを協調および同期化させることを含む。
次のステップ４０６は、第１の時間に、少なくとも１つのビーム組み合わせと、関連するゾーンのリソースブロックと、および好ましくは、すべてのビーム組み合わせと、関連するゾーンのリソースブロックとに関して、ゾーンの測定されたチャネル品質表示フィードバックを報告する。チャネル品質表示（ＣＱＩ）フィードバックは、組み合わせ毎にキャリア対干渉プラス雑音比および／または信号対干渉プラス雑音比を含むことができる。移動局がセル縁部ゾーン内にいることを知っている場合、移動局はビーム組み合わせ、および関連するゾーンのリソースブロックに関してフィードバックを報告することができる。これは、すべてのビーム組み合わせ、または単に最も良好なチャネル条件を提供する、組み合わせおよび関連するゾーンのリソースブロックに関するフィードバックを報告することを含むことができる。
【００２４】
次のステップ４０８は、各基地局に対して同一の少なくとも１つのビーム組み合わせ、および関連するゾーンのリソースブロックを繰り返すことによって、第２の時間に、ゾーン上の基地局によるフィードバックを用いて同期通信を提供する。少なくとも１つのビーム組み合わせ、および関連するゾーンのリソースブロックが繰り返される第１の時間と第２の時間との間の期間は、報告するステップと提供するステップとの間の遅延に相当する。基地局が移動局にとって最も良好なチャネル条件を提供する、ビーム組み合わせおよび関連するゾーンのリソースブロックを知っている場合、基地局は最も良好なチャネル条件を提供するビーム組み合わせおよび対応するゾーンのリソースブロックを用いて通信を提供することができる。
【００２５】
本文書で使用される用語および表現は、特定の意味が本文書で他に記載されない限り、上述したように本発明の当業者によって上記用語および表現に付与される一般的な意味を有すると理解される。
【００２６】
本文書に図示および記載されるシーケンスおよび方法は、記載されるのと異なる順序で実行することができる。図面に示される特定のシーケンス、機能、および動作は本発明の１つまたはそれ以上の実施形態の単なる例示であり、当業者にとっては他の具体化も自明であろう。図面は、当業者によって理解され適切に実行され得る本発明の各種具体化を例示することを目的とする。同じ目的を達成すると計算される任意の構成を、図示される具体的な実施形態と置き換えることができる。
【００２７】
本発明は、ハードウェア、ソフトウェア、ファームウェア、またはこれらの組み合わせなど任意の適切な形状で実現することができる。本発明は任意で、１つまたはそれ以上のデータプロセッサ、および／またはディジタル信号プロセッサ上で動作するコンピュータソフトウェアとして部分的に実現することができる。本発明の一実施形態の構成要素およびコンポーネントは、任意の適切な方法で物理的、機能的、および論理的に実現することができる。事実、機能は単独のユニットで、複数のユニットで、あるいは他の機能ユニットの一部として実現することができる。このように、本発明は、単独ユニットで実現することができる、あるいは物理上および機能上、異なるユニットおよびプロセッサ間で分散させることができる。
【００２８】
本発明はいくつかの実施形態と合わせて説明されているが、本文書で述べられる特定の形状に限定されることを目的としていない。むしろ、本発明の範囲は添付の請求項によってのみ制限される。さらに、１つの特徴が特定の実施形態と合わせて説明されているように思われるかもしれないが、当業者であれば、記載の実施形態の各種特徴を本発明にしたがい組み合わせることができると認識するであろう。請求項においては、備えるという用語は、その他の構成要素やステップの存在を除外するものではない。
【００２９】
さらに、個別に挙げられているが、複数の手段、構成要素、または方法ステップは、単独のユニットまたはプロセッサなどによって実現することができる。さらに、個々の特徴が異なる請求項に含まれているかもしれないが、それらは有益に組み合わせることができ、異なる請求項への包含は、特徴の組み合わせが実行可能ではない、および／または有益ではないことを示すものではない。また、請求項の１カテゴリに１つの特徴を包含することは、このカテゴリへの限定を示すものではなく、その特徴が適宜他の請求項のカテゴリにも同等に適用可能であることを示すものである。
【００３０】
さらに、請求項における特徴の順番は、特徴がその順番で発揮されねばならないことを示すものではなく、方法請求項における個々のステップの順番も、その順番でステップが実行されねばならないことを示すものではない。むしろ、ステップは任意の適切な順番で実行することができる。また、単数の言及は複数を除外するものではない。よって、「１つの」、「第１の」、「第２の」などは複数を除外するものではない。
【図１】
0005675634.tif 000002
【図２】
0005675634.tif 000003
【図３】
0005675634.tif 000004
【図４】
0005675634.tif 000005